(57)【特許請求の範囲】
【請求項１】
下記式（１）で示される配位子。
【化１】
0006625013.tif 000016
ここでＲ１、Ｒ２、Ｒ３は、水素、アルキル基、フェニル基（置換基を有していてもよい。）又はナフチル基（置換基を有していてもよい。）であり、Ｒ１とＲ２は結合して環を形成していてもよい。Ｒ１とＲ２とは、同じであっても、異なっていてもよい。Ｒ４は、水素、フッ素、塩素、臭素、ヨウ素、ニトロ基、アルキル基、アルコキシ基又はフェニル基（置換基を有していてもよい。）である。
【請求項２】
下記式（１）で示される配位子を金属又は金属塩に配位させてなる触媒。
【化２】
0006625013.tif 000017
ここでＲ１、Ｒ２、Ｒ３は、水素、アルキル基、フェニル基（置換基を有していてもよい。）又はナフチル基（置換基を有していてもよい。）であり、Ｒ１とＲ２は結合して環を形成していてもよい。Ｒ１とＲ２とは、同じであっても、異なっていてもよい。Ｒ４は、水素、フッ素、塩素、臭素、ヨウ素、ニトロ基、アルキル基、アルコキシ基又はフェニル基（置換基を有していてもよい。）である。
【発明の詳細な説明】
【技術分野】
【０００１】
本発明は、ビナフトール骨格を有するビスホスホイミノ配位子とそれを用いた触媒に関する。
【０００２】
光学活性なアミノ酸や糖を基本構成単位とする生体高分子は、高度な不斉空間を構築しており、この生体高分子を受容体とする医薬品も光学活性を有している必要がある。このような光学活性な物質を合成する方法は不斉合成法と呼ばれており、不斉合成法の中でも少量の不斉源から理論上無限の光学活性体を合成することが可能な触媒的不斉合成法は極めて有用、重要なものとなっている。
【０００３】
現在、触媒的不斉合成法は様々な金属触媒を用いることにより達成されているが、これら触媒には高い触媒活性を発現可能にするため、複数の金属を有することができる綿密に設計された配位子が用いられており、例えば、公知の技術として、配位子と金属塩から複合金属錯体を調製し、触媒として用いたものが下記非特許文献１及び２に記載されている。また、有機触媒、金属触媒を用いた不斉マンニッヒ反応の例が下記非特許文献３及び４に記載されている。
【０００４】
【非特許文献１】Ａｒａｉ，Ｔ．；Ｓｕｇｉｙａｍａ，Ｎ．；Ｍａｓｕ，Ｈ．；Ｋａｄｏ，Ｓ．；Ｙａｂｅ，Ｓ．；Ｙａｍａｎａｋａ，Ｍ．Ｃｈｅｍ．Ｃｏｍｍ．２０１４，４２，８２８７
【非特許文献２】Ｓａｓａｉ，Ｈ；Ｓｕｚｕｋｉ，Ｔ．；Ａｒａｉ，Ｓ．；Ａｒａｉ，Ｔ．；Ｓｈｉｂａｓａｋｉ，Ｍ．Ｊ．Ａｍ．Ｃｈｅｍ．Ｓｏｃ．１９９２，１１４，４４１８
【非特許文献３】Ｚｈｉｊｉｎ，Ｌ．；Ｃｈｅｎ，Ｘ．；Ｗｅｉ，Ｚ．；Ｚｈｉｑｉａｎｇ，Ｄ．；Ｊｉａｎｌｉｎ，Ｈ．；Ｙｉ，Ｐ．Ｃｈｉｎ．Ｊ．Ｃｈｅｍ．２０１２，６０，２３３３．
【非特許文献４】Ａｒａｉ，Ｔ．；Ｍｏｒｉｂａｔａｋｅ，Ｔ．；Ｍａｓｕ，Ｈ．Ｃｈｅｍ．Ｅｕｒ．Ｊ．２０１５，２１，１０６７１−１０６７５．
【発明の開示】
【発明が解決しようとする課題】
【０００５】
上記非特許文献１の技術では、複雑な不斉空間を有しているが、ソフト性の高い金属を有した触媒の例は記載されていない。それに対し、本発明によってもたらされる配位子は、複雑な不斉空間を保持したまま、ハード性の高い金属やソフト性の高い金属を有し、様々な反応に柔軟に対応する反応場を供給すると期待される。
【０００６】
そこで、本発明は、上記課題を鑑み、ビナフチル骨格の軸不斉、フェノール性水酸基、及びイミノ基を基盤として、新たにホスホ基を導入した配位子とすることで、複雑な配位場を維持しつつ、様々な金属と錯体を調整することで、より多様な触媒的不斉合成の実現を目的とする。
【０００７】
本発明者らは、上記課題について鋭意検討を行ったところ、光学活性なホスホアミンに３、３’位をホルミル化したビナフトールを反応させることでリンを有する配位子の合成に成功し、本発明を完成させるに至った。
【０００８】
即ち、本発明の一手段に係る配位子は、下記式（１）で示される。
【化１】
0006625013.tif 000002
【０００９】
ここでＲ１、Ｒ２、Ｒ３は、水素、アルキル基、フェニル基（置換基を有していてもよい。）又はナフチル基（置換基を有していてもよい。）であり、Ｒ１とＲ２は結合して環を形成していてもよい。Ｒ１とＲ２とは、同じであっても、異なっていてもよい。Ｒ４は、水素、フッ素、塩素、臭素、ヨウ素、ニトロ基、アルキル基、アルコキシ基又はフェニル基（置換基を有していてもよい。）である。
【００１０】
また、本発明の他の一手段に係る触媒は、下記式（１）で示される配位子に金属又は金属塩が配位してなる。
【化２】
0006625013.tif 000003
【００１１】
ここでＲ１、Ｒ２、Ｒ３は、水素、アルキル基、フェニル基（置換基を有していてもよい。）又はナフチル基（置換基を有していてもよい。）であり、Ｒ１とＲ２は結合して環を形成していてもよい。Ｒ１とＲ２とは、同じであっても、異なっていてもよい。Ｒ４は、水素、フッ素、塩素、臭素、ヨウ素、ニトロ基、アルキル基、アルコキシ基又はフェニル基（置換基を有していてもよい。）である。
【発明の効果】
【００１２】
以上、本発明によると、ホスホアミノ基を組み込むことにより、より多様な反応の用いることができる。また、光学活性ホスホアミノ基の置換基を変化させることで、電子的効果、立体的効果により自由度の高い配位子及びこれを用いた触媒反応を提供することができる。
【発明を実施するための最良の形態】
【００１３】
以下、本発明の実施形態について詳細に説明する。ただし、本発明は多くの異なる様態で実施することが可能であり、以下に示す実施形態に限定されるものではない。
【００１４】
（実施形態１）
本実施形態に係る配位子は、下記化学式（１）で示されることを特徴とする。
【化３】
0006625013.tif 000004
【００１５】
本実施形態に係る配位子において、Ｒ１、Ｒ２、Ｒ３は、ホスホアミンの置換基として種々のものを採用することができる。例えば水素、アルキル基、フェニル基（置換基を有していてもよい。）又はナフチル基（置換基を有していてもよい。）であることが望ましく、Ｒ１とＲ２は結合して環を形成していてもよい。Ｒ１とＲ２とは、同じであっても、異なっていてもよい。
【００１６】
また、本実施形態に係る配位子において、Ｒ４は、芳香環に導入できる置換基である限り限定されることはなく種々のものを採用することができる。例えば水素、フッ素、塩素、臭素、ヨウ素、ニトロ基、アルキル基、アルコキシ基又はフェニル基（置換基を有していてもよい。）を例示することができる。
【００１７】
さらに、本実施形態に係る配位子は、金属または金属塩に配位させることで触媒として利用することができる。配位子を配位させる金属としては、配位させることができる限りにおいてこれに限定されるわけではないが、例えば、パラジウム、亜鉛、銅、ニッケル、コバルト、ルテニウム、ロジウム又は鉄を例示することができる。また配位子を金属に配位させる方法としては、周知の方法を採用することができ、限定されるわけではないが、金属塩と配位子を混合することで配位させることができる。金属塩としては、限定されるわけではないが、金属がパラジウムである場合、Ｐｄ（ＯＡｃ）２、ＰｄＣｌ２、Ｐｄ（ＯＴｆ）２等を用いることができる。
【００１８】
本実施形態に係る配位子を用いた触媒は、種々の反応に用いることができると考えられ、限定されるわけではないが、マンニッヒ反応に好適に用いることができる。
【００１９】
（配位子の製造）
【００２０】
まず、下記式（２）で示されるビナフトールに対し、水素化ナトリウム存在の下、メトキシメチルクロリドを作用させることで、下記式（３）で示されるフェノール性水酸基をＭＯＭ保護化したビナフトールを得ることができる。
【化４】
0006625013.tif 000005
【化５】
0006625013.tif 000006
【００２１】
次に、上記式（３）で示されるビナフトールに対し、ブチルリチウム存在の下、ＤＭＦを反応させることで、下記式（４）で示されるフェノール性水酸基がＭＯＭ保護化されたホルミルビナフトールを得ることができる。
【化６】
0006625013.tif 000007
【００２２】
次に、（４）で示されるビナフトールに対し、塩酸存在の下、ＭＯＭ基を外すことで、下記式（５）に示されるホルミルビナフトールを得ることができる。
【化７】
0006625013.tif 000008
【００２３】
上記式（５）で示されるビナフトールに対し、下記式（６）で示されるホスホアミン
を反応させることで上記（１）に示される配位子を得ることができる。
【化８】
0006625013.tif 000009
【００２４】
以上、本実施形態により、例えばマンニッヒ反応において広範な基質にて高い不斉収率を与える配位子及びそれを用いた触媒を提供することができる。
【００２５】
以下、上記実施形態の配位子及び触媒について実際に作製し、その効果について確認を行った。以下説明する。
【００２６】
（実施例）
本実施例では、下記式（７）で示される配位子を作製し、その配位子をマンニッヒ反応に用いた。
【化９】
0006625013.tif 000010
【００２７】
（配位子の合成）
まず、下記反応式に従い、下記式（５）の合成を行った。
【化１０】
0006625013.tif 000011
【化１１】
0006625013.tif 000012
【００２８】
まず、上記反応式（８）に従い、（Ｒ）−２、２’−ｂｉｎａｐｈｔｈｏｌ（１．１４５ｇ、４ｍｍｏｌ）を無水ＴＨＦ（１０ｍｌ）に溶かし、氷浴しながら、無水ＴＨＦ（３ｍｌ）に溶かしたｓｏｄｉｕｍ  ｈｙｄｒｉｄｅ（６０％  ｉｎ  ｏｉｌ、０．５７６ｇ、１２ｍｍｏｌ）を加え、アルゴン雰囲気下、０℃で３０分間攪拌する。その後、ｍｅｔｈｏｘｙｍｅｔｈｙｌ  ｃｈｌｏｒｉｄｅ（１．２７ｍｍｏｌ、１６ｍｍｏｌ）を加え、室温４時間攪拌し、蒸留水（１０ｍｌ）を加えた後、ジエチルエーテル、飽和食塩水の順に抽出する。有機層を芒硝により乾燥し、減圧濃縮する。得られた残渣をシリカゲルクロマトグラフィー（展開溶媒６：１  ｎ−ヘキサン／酢酸エチル）により精製し、白色固体状のフェノール性水酸基をＭＯＭ保護化したビナフトールを９１％の収率で得た。
【００２９】
次に、上記で得たフェノール性水酸基をＭＯＭ保護化したビナフトール（１５０ｍｇ、０．４ｍｍｏｌ）とｔｅｔｒａｍｅｔｈｙｌｅｔｈｙｌｅｎｄｉａｍｉｎｅを無水ジエチルエーテル（１０．５ｍｌ）に溶かし、氷浴しながらｂｕｔｙｌｌｉｔｈｉｕｍ（１．６４Ｍ、０．７２ｍｌ、１．２ｍｍｏｌ）を加え、アルゴン雰囲気下、０℃で１時間３０分間攪拌する。無水ＤＭＦを加え、室温で１２時間攪拌し、塩酸を加え、ジエチルエーテル、飽和炭酸水素ナトリウム水溶液、蒸留水、飽和食塩水の順で抽出する。有機層を芒硝により乾燥し、減圧濃縮する。得られた残渣をシリカゲルクロマトグラフィー（展開溶媒５：１  ｎ−ヘキサン／酢酸エチル）により精製し、黄色オイル状のフェノール性水酸基がＭＯＭ保護化されたホルミルビナフトールを８３％の収率で得た。
【００３０】
次に、上記で得たフェノール性水酸基がＭＯＭ保護化されたホルミルビナフトール（１３３ｍｇ、０．３１ｍｍｏｌ）を無水ＴＨＦ（２．６ｍｌ）に溶かし、氷浴しながら塩酸（１２Ｍ、１．１ｍｌ）を加え、アルゴン雰囲気下、１時間３０分間攪拌し、酢酸エチル、蒸留水、飽和炭酸水素ナトリウム水溶液、飽和食塩水の順に抽出する。有機層を芒硝により乾燥し、減圧濃縮し、上記式（５）に示される黄色粉末状のホルミルビナフトールを９９％の収率で得た。
【００３１】
次に、下記反応式（９）に従い、上記で得たホルミルビナフトール（５）（５１．４ｍｇ、０．１５ｍｍｏｌ）と下記のホスホアミン（１２）（８９．５ｍｇ、０．３３ｍｍｏｌ）を無水エタノール（２５ｍｌ）に溶かし、アルゴン雰囲気下、８０℃で２４時間攪拌し、減圧濃縮することで上記式（７）に示す（Ｒ）−３，３’−ｂｉｓ（（Ｅ）−（（（Ｓ）−１−（ｄｉｐｈｅｎｙｌｐｈｏｓｐｈｉｎｏ）−３−ｍｅｔｈｙｌｂｕｔａｎ−２−ｙｌ）ｉｍｉｎｏ）ｍｅｔｈｙｌ）−［１，１’−ｂｉｎａｐｈｔｈａｌｅｎｅ］−２，２’−ｄｉｏｌ（Ａ）を９０％の収率で得た。
（Ａ）の機器データ：
１Ｈ  ＮＭＲ（４００ＭＨｚ、  ＣＤＣｌ３）δ０．８９（ｄ、Ｊ＝２．９２、６Ｈ）、０．９１（ｄ、Ｊ＝２．９２、６Ｈ）１．９５−２．０７（ｍ、２Ｈ）２．３５（ｄｄ、Ｊ＝１３．９、２Ｈ）２，４８（ｄｄ、Ｊ＝１４．０Ｈｚ、２Ｈ）、  ３．０７−３．１４  （ｍ、２Ｈ）、７．１５−７．２９（ｍ  、２２Ｈ、ａｒｏｍａｔｉｃ）、７．８０−７．８７（ｍ、４Ｈ，ａｒｏｍａｔｉｃ）、８．３８（ｓ、２Ｈ）；１３Ｃ  ＮＭＲ  （１００ＭＨｚ，  ＣＤＣｌ３）δ１７．６、１９．８、３２．８、３３．６、１１６．５、１２０．９、１２３．１、１２４．９、１２７．４、１２８．０、１２８．４−１２８．７（ｍｕｌｔｉ），１３２．９、１３３．４、１３５．２、１３８．１２、２３８．２、１５４．８、１６４．５；ＨＲＭＳ  ｃａｌｃｄ  ｆｏｒ  Ｃ５６Ｈ５４Ｎ２Ｏ２Ｐ２（Ｍ＋＋Ｈ）  ８４９．３６８９：  ｆｏｕｎｄ  ８４９．３７４５
【化１２】
0006625013.tif 000013
【化１３】
0006625013.tif 000014
【００３２】
次に、この得られた配位子（９）を４．３ｍｇ用い、これに塩化メチレン溶媒中酢酸パラジウム（ＩＩ）２．３ｍｇ、酢酸亜鉛（ＩＩ）０．９ｍｇを配位させることで触媒として不斉マンニッヒ反応を行った。
【００３３】
不斉マンニッヒ反応は、上記触媒の存在下でｍａｌｏｎｏｎｉｔｌｉｌｅ９．９ｍｇに（Ｅ）−ｔｅｒｔ−ｂｕｔｙｌ  ｂｅｎｚｙｌｉｄｅｎｃａｒｂａｍａｔｅ２０．５ｍｇを４時間かけて滴下した。この結果、反応が７２％進行し、マンニッヒ生成物のエナンチオ選択性が９１％であった。この結果、本発明に係る配位子及びこれを用いた触媒の有用性を確認することができた。また、（Ｅ）−ｔｅｒｔ−ｂｕｔｙｌ  ２−ｍｅｔｈｙｌｂｅｎｚｙｌｉｄｅｎｃａｒｂａｍａｔｅを基質に用いて反応を行った場合、反応は６０％進行し、目的物は９６％ｅｅであった。さらに（Ｅ）−ｔｅｒｔ−ｂｕｔｙｌ  ３−ｆｌｕｏｒｏｂｅｎｚｙｌｉｄｅｎｃａｒｂａｍａｔｅを基質に用いて反応を行った場合、反応は８７％進行し、目的物は９４％ｅｅであった。
【化１４】
0006625013.tif 000015
【００３４】
以上本実施例により本触媒の効果を確認することができ、広範な基質において高い不斉収率を与える配位子及びそれを用いた触媒を提供することができるのを確認した。
【産業上の利用可能性】
【００３５】
本発明は、触媒及びそれらに用いられる配位子として産業上の利用可能性がある。